(57)【要約】【課題】表示されている画像を切り換えるにあたって、操作負担を軽減し、作業の効率化を図る。【解決手段】医用画像を表示させる画像表示領域３０を有する表示画面Ｇ１を表示する表示部２３と、画像表示領域上での所定の操作に応じて、当該画像表示領域に表示中の医用画像に関連するシリーズ画像の識別情報を一覧表示したリストを、表示画面上に表示させ、リストから一の識別情報が選択された場合、当該一の識別情報に対応するシリーズ画像を画像表示領域に表示させる制御部２１と、を備える。【選択図】図１
2018180834.tif 000002
【特許請求の範囲】
【請求項１】
医用画像を表示させる表示領域を有する表示画面を表示する表示手段と、
前記表示領域上での所定の操作に応じて、当該表示領域に表示中の医用画像に関連するシリーズ画像の識別情報を一覧表示したリストを、前記表示画面上に表示させ、前記リストから一の識別情報が選択された場合、当該一の識別情報に対応する前記シリーズ画像を、前記表示領域に表示中の医用画像と切り換えて表示させる表示制御手段と、
を備えることを特徴とする医用画像表示装置。
【請求項２】
前記シリーズ画像の各々は、同一検査で生成された複数の医用画像を含み、
前記表示制御手段は、前記表示領域に前記一の識別情報に対応する前記シリーズ画像を表示している際、前記表示領域上での所定の操作に応じて、前記シリーズ画像の中の前記表示領域に表示させる医用画像を切り換えることを特徴とする請求項１に記載の医用画像表示装置。
【請求項３】
前記表示領域には、医用画像と共に当該医用画像の付帯情報が表示され、
前記表示制御手段は、前記表示領域上での前記付帯情報を指示する操作に応じて、前記リストを前記表示画面上に表示させることを特徴とする請求項１又は２に記載の医用画像表示装置。
【請求項４】
前記付帯情報は、検査情報及びシリーズ情報の少なくとも一方を含み、
前記表示制御手段は、前記表示領域上での前記検査情報又はシリーズ情報を指示する操作に応じて、前記リストを前記表示画面上に表示させることを特徴とする請求項３に記載の医用画像表示装置。
【請求項５】
コンピューターを、
医用画像を表示させる表示領域を有する表示画面における、前記表示領域上での所定の操作に応じて、当該表示領域に表示中の医用画像に関連するシリーズ画像の識別情報を一覧表示したリストを、前記表示画面上に表示させ、前記リストから一の識別情報が選択された場合、当該一の識別情報に対応する前記シリーズ画像を、前記表示領域に表示中の医用画像と切り換えて表示させる表示制御手段として機能させるプログラム。
【発明の詳細な説明】
【技術分野】
【０００１】
本発明は、医用画像表示装置及びプログラムに関する。
【背景技術】
【０００２】
医療の分野では、ＣＲ（Computed Radiography）装置、ＦＰＤ（Flat Panel Detector）装置、ＣＴ（Computed Tomography）装置、ＭＲＩ（Magnetic Resonance Imaging）装置等のモダリティにおいて生成された医用画像を表示して、医師が身体の所定部分を観察する読影診断が行われている。
従来、読影診断において読影診断用画像の切り換えを行うにあたって、サムネイル画像表示領域に複数のサムネイル画像を表示させ、ここから選択したサムネイル画像を読影診断用画像の表示領域にドラック＆ドロップすることで、読影診断用画像を表示させる医用画像表示装置が知られている（例えば、特許文献１参照）。
なお、ドラック＆ドロップとは、サムネイル画像にマウスポインターを重ねた状態でマウスのボタンを押下し、そのままマウスを移動する操作である。
【先行技術文献】
【特許文献】
【０００３】
【特許文献１】特開２０１１−０８１６０７号公報
【発明の概要】
【発明が解決しようとする課題】
【０００４】
しかしながら、特許文献１の技術では、ドラック＆ドロップを行う際に、サムネイル画像表示領域と読影診断用画像の表示領域とに距離があることから、ドロップ＆ドラッグが操作の負担となり、読影や診断の効率化の妨げになってしまうという問題があった。
【０００５】
本発明は、上記課題に鑑みてなされたものであって、表示されている画像を切り換えるにあたって、操作負担を軽減し、作業の効率化を図ることである。
【課題を解決するための手段】
【０００６】
上記課題を解決するため、本発明の医用画像表示装置は、
医用画像を表示させる表示領域を有する表示画面を表示する表示手段と、
前記表示領域上での所定の操作に応じて、当該表示領域に表示中の医用画像に関連するシリーズ画像の識別情報を一覧表示したリストを、前記表示画面上に表示させ、前記リストから一の識別情報が選択された場合、当該一の識別情報に対応する前記シリーズ画像を、前記表示領域に表示中の医用画像と切り換えて表示させる表示制御手段と、
を備えることを特徴とする。
【０００７】
また、本発明のプログラムは、
コンピューターを、
医用画像を表示させる表示領域を有する表示画面における、前記表示領域上での所定の操作に応じて、当該表示領域に表示中の医用画像に関連するシリーズ画像の識別情報を一覧表示したリストを、前記表示画面上に表示させ、前記リストから一の識別情報が選択された場合、当該一の識別情報に対応する前記シリーズ画像を、前記表示領域に表示中の医用画像と切り換えて表示させる表示制御手段として機能させるプログラムである。
【発明の効果】
【０００８】
本発明によれば、表示されている画像を切り換えるにあたって、操作負担を軽減し、作業の効率化を図ることができる。
【図面の簡単な説明】
【０００９】
【図１】本実施形態に係る医用画像表示システムの全体構成を示す図である。
【図２】図１のクライアント端末の機能的構成を示すブロック図である。
【図３】図２の制御部により実行される表示制御処理を示すフローチャートである。
【図４】表示画面の一例を示す図である。
【図５】表示画面の一例を示す図である。
【図６】表示画面の一例を示す図である。
【発明を実施するための形態】
【００１０】
以下、図面を参照して本発明に係る好適な実施形態について説明する。なお、本発明は、図示例に限定されるものではない。
【００１１】
〔医用画像表示システム１００の構成〕
図１に、医用画像表示システム１００のシステム構成例を示す。
医用画像表示システム１００は、病院内に設置されるシステムである。図１に示すように、医用画像表示システム１００は、画像管理サーバー１０、医用画像表示装置としてのクライアント端末２０から構成され、各装置は、ＬＡＮ（Local Area Network）やＷＡＮ（Wide Area Network）等の通信回線からなる通信ネットワークＮを介してデータ送受信可能に接続されている。医用画像表示システム１００を構成する各装置は、ＤＩＣＯＭ（Digital Image and Communications in Medicine）規格に準じており、各装置間の通信は、ＤＩＣＯＭに則って行われる。なお、各装置の台数は、特に限定されない。
【００１２】
画像管理サーバー１０は、ＣＴ（Computed Tomography）装置、ＭＲＩ（Magnetic Resonance Imaging）装置、ＣＲ（Computed Radiography）装置等の各種モダリティにより生成された医用画像の画像データ、及び医用画像に関する付帯情報を蓄積記憶・管理するコンピューター装置である。医用画像には、ＣＴ装置やＭＲＩ装置等により生成された断層画像や、ＣＲ装置により生成された単純Ｘ線画像等が含まれる。
具体的に、画像管理サーバー１０は、ハードディスク等により構成される記憶部１５を有する。この記憶部１５は、医用画像のデータを格納する医用画像ＤＢ（Data Base）１５１、医用画像ＤＢ１５１に記憶されている医用画像に関する付帯情報を検索可能に格納する付帯情報ＤＢ１５２を記憶している。
【００１３】
医用画像ＤＢ１５１において記憶される医用画像は、ＤＩＣＯＭ規格に則ったＤＩＣＯＭファイル形式で保存されている。ＤＩＣＯＭファイルは、画像部とヘッダ部とから構成される。画像部には医用画像の実データ、ヘッダ部に当該医用画像に関する付帯情報が書き込まれている。
【００１４】
付帯情報は、例えば、患者情報、検査情報、シリーズ情報、画像詳細情報を含んで構成されている。
【００１５】
患者情報は、患者を識別するための患者識別情報（例えば、患者ＩＤ）、患者の名前、性別、生年月日等の医用画像の患者に関する各種情報が含まれる。
検査情報は、検査を識別するための検査識別情報（例えば、検査ＩＤや受付番号）、検査記述、検査日付、担当医師等の検査に関する各種情報が含まれる。
【００１６】
シリーズ情報は、同一検査内においてシリーズを識別するためのシリーズ番号、検査の特徴を記したシリーズ記述、シリーズに含まれる医用画像を生成したモダリティの種類、検査部位、当該医用画像が断層画像である場合のスライス間隔、総スライス数等のシリーズに関する各種情報が含まれる。
ここで、シリーズとは、互いに関連する一連の医用画像のまとまりを指す。例えば、ＣＴ装置やＭＲＩ装置では、人体の或る範囲（例えば、胸部から腹部にかけて）を体軸方向（例えば、頭−足方向）に沿って予め定められたスライス間隔（例えば、１ｍｍ間隔）で複数連続撮影することによって複数（１００枚〜数千枚）の断層画像を生成する。この生成されたひとまとまりの断層画像群は１つのシリーズとして取り扱われる。同一シリーズに属する全ての断層画像には、同一のシリーズ情報が付帯されている。総スライス数とは、同一シリーズに属する断層画像の総数である。また、同一シリーズに属する一連の医用画像を、シリーズ画像という。
【００１７】
画像詳細情報は、画像番号、スライス位置（同一シリーズにおいて最初に撮影された断層画像の体軸方向の位置を０ｍｍ（基準）とした場合の各断層画像の撮影時の体軸方向の位置）、画像生成時刻、医用画像の格納場所を示すファイルパス名、検査コメント、病変の計測位置、計測結果等の画像に関する各種情報が含まれる。
画像番号は、同一シリーズとして生成した医用画像の撮影順１〜ｎ（ｎは総スライス数）を示す番号である。
【００１８】
画像管理サーバー１０は、通信ネットワークＮを介してクライアント端末２０からの検索要求に応じて、クライアント端末２０から送信される条件に合致した医用画像を付帯情報ＤＢ１５２により検索して、条件に合致した医用画像のリストデータをクライアント端末２０に送信する。また、クライアント端末２０から取得要求のあった医用画像のデータを医用画像ＤＢ１５１から読み出してクライアント端末２０に送信する。
【００１９】
〔クライアント端末２０の構成〕
クライアント端末２０は、画像管理サーバー１０に蓄積記憶されている医用画像を取得して、医師の読影用に表示するためのコンピューター装置である。
【００２０】
図２に、クライアント端末２０の機能的構成を示す。
図２に示すように、クライアント端末２０は、制御部２１、操作部２２、表示手段としの表示部２３、通信部２４、ＲＡＭ２５、記憶部２６等を備えて構成され、各部はバス２７により接続されている。
【００２１】
制御部２１は、ＣＰＵ（Central Processing Unit）等により構成され、記憶部２６に記憶されているシステムプログラムや表示制御処理プログラムを始めとする各種処理プログラムを読み出し、ＲＡＭ２５内に形成されたワークエリアに展開し、該プログラムに従って各部を制御する。制御部２１は、表示制御手段として機能する。
【００２２】
操作部２２は、カーソルキー、数字入力キー、及び各種機能キー等を備えたキーボードと、マウス等のポインティングデバイスを備えて構成され、キーボードに対するキー操作やマウス操作により入力された指示信号を制御部２１に出力する。
【００２３】
表示部２３は、ＬＣＤ（Liquid Crystal Display）やＣＲＴ(Cathode Ray Tube)等のモニタにより構成され、制御部２１から入力される表示信号の指示に従って、各種画面や医用画像等を表示する。
【００２４】
通信部２４は、ＬＡＮアダプタ、ルータ、ＴＡ（Terminal Adapter）等を備え、通信ネットワークＮに接続された各装置とデータの送受信を行う。
【００２５】
ＲＡＭ２５は、制御部２１により実行制御される各種処理において、記憶部２６から読み出された各種プログラム、入力若しくは出力データ、及びパラメータ等を一時的に格納するワークエリアを形成する。
【００２６】
記憶部２６は、ＨＤＤ（Hard Disc）や半導体の不揮発性メモリー等により構成される。
記憶部２６は、制御部２１で実行されるシステムプログラムや、表示制御処理プログラムを始めとする各種プログラム、これらのプログラムの実行に必要なデータを記憶する。各種プログラムは、コンピューター読み取り可能なプログラムコードの形態で記憶部２６に格納され、制御部２１は、当該プログラムコードに従った動作を逐次実行する。
【００２７】
〔クライアント端末２０の動作〕
次に、本実施の形態の動作について説明する。
図３に、クライアント端末２０において、表示部２３に読影診断用の医用画像を表示させる際に実行される表示制御処理のフローを示す。
この表示制御処理は、制御部２１と記憶部２６に記憶されている表示制御処理プログラムとの協働によるソフトウエア処理により実現される。
【００２８】
先ず、医師等のユーザーによる操作部２２を介した指示操作により、制御部２１は、画像管理サーバー１０から、読影対象となる患者の所定の画像の画像データ及びその画像の付帯情報を取得し、表示部２３の表示画面Ｇ１に表示させる（ステップＳ１）。
【００２９】
図４に、表示画面Ｇ１の一例を示す。
図４に示すように、表示画面Ｇ１は、画像表示領域３０を備える。
なお、図４では、複数の画像表示領域３０を有する表示画面Ｇ１を例示しているが、画像表示領域３０は１つであっても良い。
画像表示領域３０は、主にその中央部３１に画像が表示され、その角部３２に、表示中の画像の付帯情報が表示される。付帯情報は、画像に重ねて表示させることが可能であって、画像表示領域３０における付帯情報の表示位置は、角部３２に限定されない。
画像表示領域３０に表示された付帯情報には、例えば、患者情報、検査情報、シリーズ情報、画像詳細情報などが含まれる。このうち、検査情報には、例えば、検査識別情報（例えば、検査ＩＤや受付番号）、検査記述、検査日付、担当医師名などが含まれる。また、シリーズ情報には、例えば、シリーズ番号、シリーズ記述、モダリティ、検査部位などが含まれる。
【００３０】
図３に戻って、次に、制御部２１は、操作部２２を介した画像表示領域３０上での所定の操作の操作信号が検出されたか否かを判断し（ステップＳ２）、検出されない場合（ステップＳ２：ＮＯ）、かかるステップＳ２の処理を繰り返す。
ここで、所定の操作とは、例えば、画像表示領域３０に表示された付帯情報の上に、マウスポインターを重ねた状態とするなどの、付帯情報を指示する操作が挙げられ、特に、付帯情報の検査情報又はシリーズ情報を指示する操作などが好ましい。
【００３１】
そして、所定の操作の操作信号が検出された場合（ステップＳ２：ＹＥＳ）、制御部２１は、画像表示領域３０に表示中の画像の検査情報を画像管理サーバー１０から取得し（ステップＳ３）、次いで、その検査に紐づくシリーズ情報を画像管理サーバー１０から取得する（ステップＳ４）。
なお、上記ステップＳ１において検査情報やシリーズ情報を既に取得していた場合（即ち、上記ステップＳ１において取得した付帯情報の中に検査情報やシリーズ情報が含まれていた場合）には、これを記憶している記憶部２６等から取得しても良い。
【００３２】
次に、制御部２１は、上記ステップＳ３及びＳ４で取得した情報に基づいて、画像表示領域３０に表示中の画像に関連するシリーズ画像の識別情報を一覧表示したリスト４０を作成し、当該リスト４０を、画像表示領域３０上に表示させる（ステップＳ５）。
【００３３】
図５に、表示画面Ｇ１においてリスト４０が表示された状態の一例を示す。
図５は、表示画面Ｇ１の右側の画像表示領域３０にリスト４０が表示された場合を示している。
図５に示すように、リスト４０は、例えば、付帯情報が表示されていた位置（画像表示領域３０においてマウスポインターが重ねられた位置）に表示される。
このリスト４０は、上述したように、画像表示領域３０に表示中の画像に関連する、一又は複数のシリーズ画像の各々の識別情報を一覧表示したものである。
各シリーズ画像は、同一検査で生成された一又は複数の医用画像を含む。そして、例えば、そのシリーズの特徴を表す文字列であるシリーズ記述が、識別情報として用いられる。
従って、リスト４０上の一の識別情報には、同一シリーズとして纏められた一連の画像群が紐づけされている。
ユーザーは、リスト４０の識別情報（シリーズ記述）を確認することで、どの検査のシリーズ画像であるかを認識することができる。
なお、リスト４０においては、識別情報と共に、例えば、各シリーズ画像に含まれる画像の枚数などの他の情報を表示することとしても良い。
【００３４】
図３に戻って、次に、制御部２１は、リスト４０から一の識別情報の選択操作がなされたか否かを判断し（ステップＳ６）、選択操作がなされない場合（ステップＳ６：ＮＯ）、かかるステップＳ６の処理を繰り返す。
一方、選択操作がなされた場合（ステップＳ６：ＹＥＳ）、制御部２１は、選択された識別情報に対応するシリーズ画像の画像データ及び付帯情報を画像管理サーバー１０から取得し（ステップＳ７）、取得したシリーズ画像の画像データ及び付帯情報により、画像表示領域３０に表示中の画像及び付帯情報を切り換える（ステップＳ８）。
【００３５】
図６に、図５で表示されていた画像が、シリーズ画像に切り換えられた状態の一例を示す。
図６は、図５においてリスト４０の１番上の識別情報を選択した場合に表示されるシリーズ画像及びその付帯情報を示している。
ここで、シリーズ画像は、そのシリーズの一連の画像群が重ねられた状態となったものであり、例えば、その１枚目（シリーズ番号が最も小さいもの）が、画像表示領域３０に表示される。
また、図６に示すように、シリーズ画像は、複数の画像が重なっている図柄にて表示されており、これにより、ユーザーは画像が重なっていることを認識し易くすることができる。なお、シリーズ画像が表示される態様はこれに限定されず、一枚の画像のみの図柄にて表示されていても良い。
【００３６】
次いで、制御部２１は、操作部２２を介した、画像表示領域３０上での、シリーズ画像を切り換えるための所定操作の操作信号が検出されたか否かを判断し（ステップＳ９）、操作信号が検出されない場合（ステップＳ９：ＮＯ）、かかるステップＳ９の処理を繰り返す。
一方、操作信号が検出された場合（ステップＳ９：ＹＥＳ）、シリーズ画像の切り換えを行って（ステップＳ１０）、本処理を終了する。
ここで、所定の操作とは、例えば、画像表示領域３０にカーソルがある状態での、キーボードによるキーダウン操作等である。
【００３７】
なお、上述した図３の表示制御処理では、シリーズ画像を切り換えるための操作信号が検出されない場合（ステップＳ９：ＮＯ）、かかるステップＳ９の処理を繰り返すこととして説明したが、この操作信号が検出されない場合（ステップＳ９：ＮＯ）には、ステップＳ６に移行して、リスト４０から一の識別情報の選択操作がなされたか否かを判断することとしても良い。
【００３８】
以上のように、本実施の形態によれば、医用画像を表示させる画像表示領域３０を有する表示画面Ｇ１を表示する表示部２３と、画像表示領域３０上での所定の操作に応じて、当該画像表示領域３０に表示中の医用画像に関連するシリーズ画像の識別情報を一覧表示したリスト４０を、表示画面Ｇ１上に表示させ、リスト４０から一の識別情報が選択された場合、当該一の識別情報に対応するシリーズ画像を画像表示領域３０に表示させる制御部２１と、を備える。
このため、表示されている医用画像をシリーズ画像に切り換えるにあたって、ドラック＆ドロップを行う必要がないため、操作負担が軽減され、作業の効率化を図ることができる。
【００３９】
また、本実施の形態によれば、シリーズ画像の各々は、同一検査で生成された複数の医用画像を含み、制御部２１は、画像表示領域３０にリスト４０から選択された一の識別情報に対応するシリーズ画像を表示している際、画像表示領域３０上での所定の操作に応じて、シリーズ画像の中の画像表示領域３０に表示させる医用画像を切り換える。
このため、画像表示領域３０上での所定の操作に応じてシリーズ画像の中の表示させる画像を切り換えることができるので、シリーズ画像の中の画像の切り換えを容易に行うことができる。
【００４０】
また、本実施の形態によれば、画像表示領域３０には、医用画像と共に当該医用画像の付帯情報が表示され、制御部２１は、画像表示領域３０上での付帯情報を指示する操作に応じて、リスト４０を表示画面Ｇ１上に表示させる。
このため、医用画像に重ねて表示された付帯情報を用いて、表示させたいシリーズ画像の選択を行うことができる。
【００４１】
また、本実施の形態によれば、付帯情報は、検査情報及びシリーズ情報の少なくとも一方を含み、制御部２１は、画像表示領域３０上での検査情報又はシリーズ情報を指示する操作に応じて、リスト４０を表示画面Ｇ１上に表示させる。
このため、付帯情報の検査情報又はシリーズ情報を用いて、表示させたいシリーズ画像の選択を行うことができる。
【００４２】
なお、上記実施の形態においては、画像表示領域３０に表示された付帯情報を指示する操作により、リスト４０が表示される構成を例示して説明したが、リスト４０を表示させるための操作は、画像表示領域３０上で実行可能な操作であればこれに限定されない。例えば、画像表示領域３０上に、リスト４０の表示用ボタン等を表示させ、これを指示する操作によりリスト４０を表示させても良いし、画像表示領域３０上で特定のマウス操作を行うことで、リスト４０を表示させても良い。
【００４３】
また、上記実施の形態においては、リスト４０の表示位置は、画像表示領域３０において付帯情報が表示されていた位置（画像表示領域３０においてマウスポインターが重ねられた位置）であったが、表示画面Ｇ１上であれば、ユーザーの任意で設定可能である。
【００４４】
また、上記実施の形態においては詳述していないが、表示画面Ｇ１において、シリーズ画像と比較読影するための基準画像が、他の画像表示領域３０に表示されていても良い。なお、基準画像とは、比較読影の際の基準として用いられる画像であり、例えば、その患者の任意の日付に生成された医用画像や、病変を含む一般的な画像などである。
【００４５】
その他、医用画像表示装置を構成する各部の細部構成及び細部動作に関しても、本発明の趣旨を逸脱することのない範囲で適宜変更可能である。
【符号の説明】
【００４６】
１０  画像管理サーバー
１５  記憶部
１５１  医用画像ＤＢ
１５２  付帯情報ＤＢ
２０  クライアント端末
２１  制御部（表示制御手段）
２２  操作部
２３  表示部（表示手段）
Ｇ１  表示画面
３０  画像表示領域
３１  中央部
３２  角部
４０  リスト
２４  通信部
２５  ＲＡＭ
２６  記憶部
２７  バス
１００  医用画像表示システム
【図１】
2018180834.tif 000003
【図２】
2018180834.tif 000004
【図３】
2018180834.tif 000005
【図４】
2018180834.tif 000006
【図５】
2018180834.tif 000007
【図６】
2018180834.tif 000008